(57)【特許請求の範囲】
【請求項１】
窓用開口の下端部内周面における窓部材より室内側に位置する部分を覆って取り付けられる膳板の取付構造において、
前記膳板は、膳板受け材と、壁仕上材の施工後に該膳板受け材を覆って一体固定される膳板本体とからなり、前記膳板本体はその下面側に前記窓用開口の内外方向に延設された複数の本体側係止用凸条又は本体側係止用凹溝を備え、該膳板本体はその下面側に前記窓用開口の内外方向に延設された複数の本体側係止用凸条又は本体側係止用凹溝を備え、前記膳板受け材はその上面側に前記本体側係止用凸条又は前記本体側係止用凹溝と係合する前記窓用開口の内外方向に延設された複数の受け材側係止用凹溝又は受け材側係止用凸条を備え、且つ前記各係止用凸条又は前記各係止用凹溝は、その突出方向又は陥没方向に向かってその幅が拡大する断面形状を有し、
前記窓用開口の下端部内周面には、前記膳板受け材の下面側に受け材取付枠が設置されており、該受け材取付枠により前記窓用開口の下方の壁面の上端縁部を画定して前記壁仕上材が施工されており、
前記窓用開口の下端部内周面に設置した前記受け材取付枠の上面側に固定した前記膳板受け材の受け材側係止用凹溝又は受け材側係止用凸条に、前記膳板本体の本体側係止用凸条又は本体側係止用凹溝を係合しつつ当該膳板本体を室内側から室外側にスライドさせて、前記膳板受け材を覆って前記膳板本体を一体固定することを特徴とする膳板取付構造。
【請求項２】
前記膳板受け材は、前記窓用開口の下端部内周面の略全長に亘って固定されることを特徴とする請求項１記載の膳板取付構造。
【請求項３】
前記受け材取付枠の両側端部分には、当該側端部分を断面コの字状に上方に曲折することにより対向配置された側端部挿入凹部が各々設けられ、該側端部挿入凹 部に前記膳板の両側端部が挿入配置されると共に、該側端部挿入凹部の上部張り出し片により前記窓用開口の側方内周面の下端縁部を画定して壁仕上材が施工されている請求項１又は２記載の膳板取付構造。
【発明の詳細な説明】
【０００１】
【発明の属する技術分野】
本発明は、窓用開口の下端部内周面における窓部材より室内側に位置する部分を覆って取り付けられる膳板の取付構造に関する。
【０００２】
【従来の技術及び発明が解決しようとする課題】
膳板は、外壁を貫通して開口形成された窓用開口に外側から窓用サッシ等の窓部材が設置された際に、窓用開口の下端部内周面における窓部材より室内側に位置する部分を覆って取り付けられる板状部材である。また、窓が出窓である場合には、膳板は、窓用開口の下端部内周面を覆うと共に、外壁の外側に延設して当該出窓の室内側底面部を構成する。
【０００３】
従来の技術によれば、膳板の取付作業は、建築物の内部の造作工事中おいて、窓用開口の周囲の壁仕上材を施工する前に行われていた。
【０００４】
しかしながら、膳板を周囲の壁仕上材の施工前に窓用開口の下端部内周面に取り付けた場合、仕上げ工事の施工時に、膳板を傷つけたり、壁仕上ボードの粉やクロスのパテ等による汚れを膳板に付着させたりするおそれがあるため、手間のかかる養生を行う必要があった。また、仕上げ工事の際にチリ際をカッターナイフで傷付けてしまうことが多く、工事の進捗により膳板を取り外すのも面倒なため、傷つけた膳板は補修によって対処せざるを得なかった。さらに、膳板を取り替えて装飾性を向上させたい場合等、何らかの理由で設置した膳板を取り外す必要がある時には、壁仕上材等の周囲の仕上材を壊して膳板の取付時点の状態まで戻さなければならず、その復旧作業に多くの費用と手間を必要としていた。
【０００５】
本発明は、このような従来の課題に着目してなされたもので、膳板を傷つけたり汚したりすることなく窓用開口の下端部内周面に容易に取り付けることができると共に、膳板を取り外して容易に設置し直すことのできる膳板取付構造を提供することを目的とする。
【０００６】
【課題を解決するための手段】
本発明は、窓用開口の下端部内周面における窓部材より室内側に位置する部分を覆って取り付けられる膳板の取付構造において、前記膳板は、膳板受け材と、壁仕上材の施工後に該膳板受け材を覆って一体固定される膳板本体とからなり、前記膳板本体はその下面側に前記窓用開口の内外方向に延設された複数の本体側係止用凸条又は本体側係止用凹溝を備え、該膳板本体はその下面側に前記窓用開口の内外方向に延設された複数の本体側係止用凸条又は本体側係止用凹溝を備え、前記膳板受け材はその上面側に前記本体側係止用凸条又は前記本体側係止用凹溝と係合する前記窓用開口の内外方向に延設された複数の受け材側係止用凹溝又は受け材側係止用凸条を備え、且つ前記各係止用凸条又は前記各係止用凹溝は、その突出方向又は陥没方向に向かってその幅が拡大する断面形状を有し、前記窓用開口の下端部内周面には、前記膳板受け材の下面側に受け材取付枠が設置されており、該受け材取付枠により前記窓用開口の下方の壁面の上端縁部を画定して前記壁仕上材が施工されており、前記窓用開口の下端部内周面に設置した前記受け材取付枠の上面側に固定した前記膳板受け材の受け材側係止用凹溝又は受け材側係止用凸条に、前記膳板本体の本体側係止用凸条又は本体側係止用凹溝を係合しつつ当該膳板本体を室内側から室外側にスライドさせて、前記膳板受け材を覆って前記膳板本体を一体固定することを特徴とする膳板取付構造を提供することにより、上記目的を達成したものである（請求項１記載の発明）。
【０００７】
本発明の膳板取付構造は、前記膳板受け材を前記窓用開口の下端部内周面の略全長に亘って固定することが好ましい（請求項２記載の発明）。
【０００９】
また、本発明の膳板取付構造は、前記受け材取付枠の両側端部分には、当該側端部分を断面コの字状に上方に曲折することにより対向配置された側端部挿入凹部が各々設けられ、該側端部挿入凹部に前記膳板の両側端部が挿入配置されると共に、該側端部挿入凹部の上部張り出し片により前記窓用開口の側方内周面の下端縁部を画定して壁仕上材が施工されていることが好ましい（請求項３記載の発明）。
【００１０】
【発明の実施の形態】
本発明の好ましい実施形態を添付図面を参照しつつ詳細に説明する。本実施形態によれば、図１に示すように、例えば縦１２０９ｍｍ、横１６９４ｍｍ程度の大きさの矩形形状の窓用開口１０の下端部内周面１１における、窓用サッシからなる窓部材１２より室内側に位置する部分を覆って膳板１３を取り付ける際に採用されたものである。即ち、膳板１３は、窓用開口１０の室内１４側に位置して当該窓用開口１０の下端部内周面１１に取り付けられる化粧用の板部材であって、厚さ１５５ｍｍ程度の外壁１５を貫通して開口形成された窓用開口１０に外側から窓部材１２を設置した際に、窓用開口１０の下端部内周面１１における窓部材１２より室内１４側に位置する部分を覆って取り付けられる。
【００１１】
本実施形態の取付構造によれば、図２にも概念図として示すように、膳板１３は膳板本体１６と膳板受け材１７とからなり、膳板本体１６はその下面側に窓用開口１０の内外方向に延設された複数の本体側係止用凸条１８を備え、膳板受け材１７はその上面側に本体側係止用凸条１８と係合する窓用開口１０の内外方向に延設された複数の受け材側係止用凹溝１９を備える。受け材側係止用凹溝１９はその陥没方向（図２の下方）に向かってその幅が拡大する略等脚台形状の横断面形状を有すると共に、本体側係止用凸条１８は、その突出方向（図２の下方）に向かってその幅が拡大する、受け材側係止用凹溝１９と同様の略等脚台形状の横断面形状を有する。
【００１２】
そして、窓用開口１０の下端部内周面１１に膳板受け材１７を予め固定しておき、固定した膳板受け材１７の受け材側係止用凹溝１９に、膳板本体１６の本体側係止用凸条１８を嵌合係止しつつ当該膳板本体１６を室内１４側から室外側にスライドさせて、膳板受け材１７に膳板本体１６を一体固定することにより、膳板１３が設置される。
【００１３】
また、本実施形態によれば、窓用開口１０の下端部内周面１１には、膳板受け材１７の下面側に受け材取付枠２０が設置されている。この受け材取付枠２０によって窓用開口１０の下方に位置する室内１４側の壁面の上端縁部を画定して、壁仕上材２１が施工されている（図１参照）。膳板受け材１７は、この受け材取付枠２０の上面に設置される。
【００１４】
さらに、本実施形態によれば、受け材取付枠２０の両側端部分には、当該側端部分を断面コの字状に上方に曲折することにより対向配置された側端部挿入凹部２２が各々設けられている。この側端部挿入凹部２２には、膳板本体１６と膳板受け材１７とを重ねて一体化した膳板１３の両側端部が挿入配置される。また、断面コの字状の側端部挿入凹部２２を構成する上部張り出し片２３によって窓用開口１０の側方内周面２４の下端縁部を画定して、当該側方内周面２４の壁仕上材２５が施工されている。
【００１５】
本実施形態によれば、外壁１５の外側から窓用開口１０に窓部材１２を取り付けた後、窓用開口１０の周囲に位置する室内１４側の壁面の壁仕上材２１や窓用開口１０の内周面の壁仕上材２５を施工するのに先立って、膳板受け材１７及び受け材取付枠２０を窓用開口１０の下端部内周面１１に設置固定する。
【００１６】
膳板受け材１７は、木材や合成樹脂、金属等からなる板状部材であって、長さ１６９０ｍｍ程度、奥行き１２０ｍｍ程度、厚さ１５ｍｍ程度の大きさを有し、受け材側係止用凹溝１９が形成された上面側を上にして、その両端を受け材取付枠２０の側端部挿入凹部２２に配置しつつ、下端部内周面１１の略全長に亘って取り付けられる。また、膳板受け材１７は、その上面側から下端部内周面１１に向かってビス等を打ち込むことにより、受け材取付枠２０を挟み込みつつ当該受け材取付枠２０と共に窓用開口１０の下端部内周面１１に強固に固定される。
【００１７】
受け材取付枠２０は合成樹脂や金属プレート等を加工して形成された薄板状の枠部材であって、長さ１６９０ｍｍ程度、奥行き９０ｍｍ程度の大きさを有し、下端部内周面１１の略全長に亘って取り付けられる。また、その両端の側端部挿入凹部２２は、合計３３ｍｍ程度の厚さとなる膳板１３の側端部が挿入配置できるように３３．５ｍｍ程度の高さを保持した空間部となっている。また、受け材取付枠２０は、その室内側端縁部が室内１４側の壁面の壁仕上げ面上に位置決めされるよう配置固定されると共に、側端部挿入凹部２２を構成する上部張り出し片２３の先端が窓用開口１０の側方内周面２４の壁仕上げ面上に位置決めされるように配置固定される。さらに、受け材取付枠２０の室内１４側の端縁部には、室内１４側に突出して膳板固定片２６が設けられており、この膳板固定片２６に設けられたビス孔から膳板本体１６の下面に向けて固定ビス２７を打ち込むことにより、膳板本体１６を受け材取付枠２０に固定できるようになっている。
【００１８】
膳板受け材１７及び受け材取付枠２０を窓用開口１０の下端部内周面１１に取り付けたら、窓用開口１０の周囲の室内１４側の壁面の壁仕上材２１や窓用開口１０の内周面の壁仕上材２５を施工する。これらの壁仕上材２１，２５としては例えば石膏ボードが用いられると共に、石膏ボードの表面に塗り仕上げやクロス仕上げが施工されるが、これらの壁仕上げは、その端縁部が、受け材取付枠２０によって画定されているので、当該端縁部における壁仕上げの施工をきれいに行うことができる。
【００１９】
壁仕上材２１，２５を施工したら、膳板受け材１７に膳板本体１６を一体固定して、膳板１３の取付作業を完了する。ここで、膳板本体１６は、膳板受け材１７と重ね合わされる長さ１６９０ｍｍ程度、奥行き１２０ｍｍ程度、厚さ１８ｍｍ程度の大きさのカウンター部２８と、カウンター部２８の室内１４側の先端部に一体固定された、略４半円形断面の吸い付き桟部２９とからなる。そして、窓用開口１０の下端部内周面１１に予め固定されている膳板受け材１７の受け材側係止用凹溝１９に、カウンター部２８の下面に設けられた本体側係止用凸条１８を係合しつつ膳板本体１６を室内側から室外側にスライドさせる。そして、吸い付き桟部２９の背面が膳板受け材１７の室内１４側の先端面に当接するまで膳板本体１６をスライドさせた後、膳板固定片２６に設けられたビス孔から吸い付き桟部２９の下面に向けて固定ビス２７を打ち込むことにより、膳板受け材１７に膳板本体１６を強固に一体固定する。これによって、吸い付き桟部２９により窓用開口１０の室内１４側の下端縁部を覆った状態で、膳板１３が下端部内周面１１に設置される。また、設置した膳板本体１６は、固定ビス２７を取り外して窓用開口１０から容易に取り外すことができる。
【００２０】
そして、本実施形態によれば、膳板１３を傷つけたり汚したりすることなく、窓用開口１０の下端部内周面１１に膳板１３を容易に取り付けることができる。即ち、壁仕上材２１，２５の施工前には、膳板受け材１７のみが下端部内周面１１に取り付けられ、壁仕上材２１，２５の施工後に膳板受け材１７を覆って膳板本体１６が一体固定されるので、壁仕上材２１，２５の施工時に膳板受け材１７が傷ついたり汚れたりしても、これを覆う膳板本体１６によって外観に影響を与えることなく膳板１３を設置することができる。
【００２１】
また、本実施形態によれば、窓用開口１０の下端部内周面１１に予め取り付けられた受け材取付枠２０によって端縁部を画定した状態で壁仕上材２１，２５が施工されるので、膳板受け材１７を傷つけたり汚したりするのを効果的に回避することもできる。
【００２２】
さらに、本実施形態によれば、膳板１３の膳板本体１６を取り外して、容易に設置し直すことができる。即ち、膳板本体１６は、壁仕上材２１，２５の施工後に取り付けられたものなので、周囲の仕上材を壊すくとなく膳板本体１６を取り外すことができ、また膳板本体１６を取り外した後も膳板受け材１７は残置されるので、当該膳板受け材１７に膳板本体１６を一体固定して膳板１３を容易に設置し直すことができる。したがって、膳板１３の膳板本体１６を取り替えて窓用開口１０の装飾性を容易に向上させることもできる。
【００２３】
さらにまた、本実施形態によれば、窓用開口１０の下端部内周面１１に予め取り付けられた受け材取付枠２０によって端縁部を画定した状態で壁仕上材２１，２５が施工されているので、周囲の仕上材に影響を与えることなく膳板本体１６を取り外す作業を、さらに容易に行うことができる。
【００２４】
なお、本発明は上記各実施形態に限定されることなく種々の変更が可能である。例えば、図３に示すように、膳板本体３０の下面側に本体側係止用凹溝３１を設け、膳板受け材３２の上面側に本体側係止用凹溝３１と係合する受け材側係止用凸条３３を設けることもでき、また係止用凸条３３や係止用凹溝３１は、その突出方向又は陥没方向に向かってその幅が拡大する断面形状を有し、相互に係合して離間するのを防止できる構造のものであれば、必ずしも略等脚台形状の断面である必要はない。すなわち、Ｔ字形断面、Ｌ字形断面の溝又は突条等、突出方向又は陥没方向の一部がその幅を拡大しているものも含まれる。また、受け材取付枠はその両側端部分に側端部挿入凹部を設けたものである必要は必ずしもない。さらに、膳板受け材は、窓用開口の下端部内周面の略全長に亘って固定する必要は必ずしもなく、複数の膳板受け材を下端部内周面の必要箇所に断続的に設置することもできる。
【００２５】
【発明の効果】
以上詳細に説明したように、本発明の膳板取付構造によれば、膳板を傷つけたり汚したりすることなく窓用開口の下端部内周面に容易に取り付けることができると共に、膳板を取り外して容易に設置し直すことができる。
【図面の簡単な説明】
【図１】本発明の一実施形態に係る膳板取付構造を説明する断面図である。
【図２】本発明の一実施形態に係る膳板取付構造を説明する概念図である。
【図３】膳板の他の形態を示す略示斜視図である。
【符号の説明】
１０  窓用開口
１１  下端部内周面
１２  窓部材
１３  膳板
１４  室内
１５  外壁
１６，３０  膳板本体
１７，３２  膳板受け材
１８  本体側係止用凸条
１９  受け材側係止用凹溝
２０  受け材取付枠
２１  室内側の壁面の壁仕上材
２２  側端部挿入凹部
２３  上部張り出し片
２４  側方内周面
２５  側方内周面の壁仕上材
２６  膳板固定片
２７  固定ビス
２８  カウンター部
２９  吸い付き桟部
３１  本体側係止用凹溝
３３  受け材側係止用凸条
【図１】
0004708552.tif 000002
【図２】
0004708552.tif 000003
【図３】
0004708552.tif 000004